(57)【要約】【課題】誤操作なく回転操作部材による設定値の変更操作を行うことができようにする。【解決手段】電子機器は、回転操作部材１０３を備えており、ＭＰＵ２１０は第１の操作モードに設定されている場合には、回転操作部材の１回の連続した操作に応じて発生する回転信号の発生回数に応じた処理を行い、第２の操作モードに設定されている場合には、回転操作部材の１回の連続した操作に応じて発生する回転信号の発生回数に拘わらず１回の回転信号に応じた処理を行うように制御する。【選択図】図７
2019053671.tif 000002
【特許請求の範囲】
【請求項１】
回転操作部材と、
第１の操作モードと第２の操作モードとを含む複数の操作モードのいずれかに設定する設定手段と、
前記第１の操作モードに設定されている場合には、前記回転操作部材の１回の連続した操作に応じて発生する回転信号の発生回数に応じた処理を行い、前記第２の操作モードに設定されている場合には、前記回転操作部材の１回の連続した操作に応じて発生する回転信号の発生回数に拘わらず１回の回転信号に応じた処理を行うように制御する制御手段と、
を有することを特徴とする電子機器。
【請求項２】
回転操作部材と、
第１の操作モードと第２の操作モードとを含む複数の操作モードのいずれかに設定する設定手段と、
前記第１の操作モードに設定されている場合には、前記回転操作部材の１回の操作に応じて、当該操作による回転量に応じた処理を行い、前記第２の操作モードに設定されている場合には、前記回転操作部材の１回の操作に応じて、当該操作の回転量に拘わらず一定分の処理を行うように制御する制御手段と、
を有することを特徴とする電子機器。
【請求項３】
前記制御手段は、前記第２の操作モードに設定されている場合、連続しない複数回の操作があった場合には、当該複数回の操作の分の処理を行うように制御することを特徴とする請求項１又は２に記載の電子機器。
【請求項４】
前記制御手段は、前記第２の操作モードに設定されている場合、前記回転操作部材の第１の方向への回転による第１の回転信号が発生してから、次に前記回転操作部材の前記第１の方向への回転によって第２の回転信号が発生するまでの時間が所定の時間以内であった場合には前記第２の回転信号に応じた処理を行わず、前記所定の時間を超えていた場合には前記第２の回転信号に応じた処理を行うように制御することを特徴とする請求項１乃至３のいずれか１項に記載の電子機器。
【請求項５】
前記制御手段は、前記第２の操作モードに設定されている場合、前記第１の回転信号の発生より前の前記所定の時間以内に前記回転操作部材の前記第１の方向への回転による第１の回転信号を検出していなかった場合には前記第１の回転信号に応じた処理を行うように制御することを特徴とする請求項４に記載の電子機器。
【請求項６】
前記制御手段は、前記第２の操作モードに設定されている場合、前記第１の回転信号の発生から前記所定の時間以内に前記回転操作部材の前記第１の方向と異なる第２の方向への回転によって第３の回転信号が発生した場合には、前記第３の回転信号に応じた処理を行うように制御することを特徴とする請求項４又は５に記載の電子機器。
【請求項７】
前記制御手段は、前記第１の操作モードに設定されている場合、前記回転操作部材の第１の方向への回転による第１の回転信号が発生してから、次に前記回転操作部材の前記第１の方向への回転によって第２の回転信号が発生するまでの時間が所定の時間以内であったか否かに拘わらず、前記第１の回転信号および前記第２の回転信号に応じた処理を行うように制御することを特徴とする請求項１乃至６のいずれか１項に記載の電子機器。
【請求項８】
前記処理は特定の設定項目の設定値の１ステップ分の変更であって、前記制御手段は、前記第１の操作モードに設定されている場合および前記第２の操作モードに設定されている場合において、前記回転操作部材の操作に応じて同一の設定項目の設定値を変更することが可能であることを特徴とする請求項１乃至７のいずれか１項に記載の電子機器。
【請求項９】
前記設定手段は、ユーザー操作に応じた操作モードを設定することを特徴とする請求項１乃至８のいずれか１項に記載の電子機器。
【請求項１０】
前記第２の操作モードは、高齢者向けの操作モード、バリアフリーを目的とする操作モード、および手袋を装着したユーザーの使用を想定した操作モードの少なくとも１つであることを特徴とする請求項１乃至９のいずれか１項に記載の電子機器。
【請求項１１】
撮像手段を更に有し、前記処理は、前記撮像手段による撮影に関する設定値の変更処理であることを特徴とする請求項１乃至１０のいずれか１項に記載の電子機器。
【請求項１２】
前記設定手段は撮影モードを設定する手段であって、前記第１の操作モードはオート撮影モード、マニュアル撮影モード、プログラム撮影モード、絞り優先撮影モード、およびシャッター速度優先撮影モードのうち少なくとも１つであり、
前記第２の操作モードは、水中撮影モード、スノーモード、および工事現場モードの少なくとも１つであることを特徴とする請求項１１に記載の電子機器。
【請求項１３】
前記回転操作部材について、１回の回転信号が発生する回転量を回転させる度に、ユーザーにクリック感を与えるクリック機構をさらに有することを特徴とする請求項１乃至１２のいずれか１項に記載の電子機器。
【請求項１４】
前記第２の操作モードにおいて、前記回転操作部材の連続する操作の回数が予め定められた閾値を超えた場合には、前記制御手段は、前記回転操作部材の操作に応じて回転信号が発生する間隔に拘わらず、ユーザーによる操作によって選択された設定値に変更することを特徴とする請求項１乃至７のいずれか１項に記載の電子機器。
【請求項１５】
回転操作部材を備える電子機器の制御方法であって、
第１の操作モードと第２の操作モードとを含む複数の操作モードのいずれかに設定する設定ステップと、
前記第１の操作モードに設定されている場合には、前記回転操作部材の１回の連続した操作に応じて発生する回転信号の発生回数に応じた処理を行い、前記第２の操作モードに設定されている場合には、前記回転操作部材の１回の連続した操作に応じて発生する回転信号の発生回数に拘わらず１回の回転信号に応じた処理を行うように制御する制御ステップと、
を有することを特徴とする制御方法。
【請求項１６】
回転操作部材を備える電子機器の制御方法であって、
第１の操作モードと第２の操作モードとを含む複数の操作モードのいずれかに設定する設定ステップと、
前記第１の操作モードに設定されている場合には、前記回転操作部材の１回の操作に応じて、当該操作による回転量に応じた処理を行い、前記第２の操作モードに設定されている場合には、前記回転操作部材の１回の操作に応じて、当該操作の回転量に拘わらず一定分の処理を行うように制御する制御ステップと、
を有することを特徴とする制御方法。
【請求項１７】
コンピュータを、請求項１乃至１４のいずれか１項に記載された電子機器の各手段として機能させるためのプログラム。
【請求項１８】
コンピュータを、請求項１乃至１４のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、その制御方法、およびプログラム、並びに記憶媒体に関し、特に、回転操作部材の操作に応じた処理を行う電子機器に関する。
【背景技術】
【０００２】
従来、電子機器に備えられた操作部材の１つに所謂ダイヤル式の操作部材がある。一般に、ダイヤル式の操作部材にはクリック機能が備えられており、１クリック分の操作で特定の角度だけダイヤルが回転して、回転方向に応じて「右回し」又は「左回し」の１クリック操作分の電気信号が発生する。そして、電子機器には、ユーザーが設定値を選択可能な項目に係る情報を表示する表示装置が備えられており、ダイヤル操作によって発生した電気信号に応じて選択中の設定値が変更される。
【０００３】
ところが、ユーザーの状況又は使用環境によっては、ダイヤルの操作中において所望の設定値に変更された状態で指を止めることが難しいことがある。このような場合には、所望の設定値に変更される手前でダイヤルを止めてしまうか又はダイヤルを回し過ぎて所望の設定値を行き過ぎるという事態が生じる。
【０００４】
このような事態を解消するため、例えば、マウスに備えられたホイールなどでは、一つの処理動作に必要なホイールの回転量の増加させる設定を行うことによって、ユーザーによってホイールの敏感度を低減できるようにしている。
【０００５】
また、ダイヤルに対する不意の接触による誤操作防止するため、ダイヤル回転で発生する電気信号をカウントして、カウント数が所定の数を超えるとカウント数に対応する処理動作を行うようにしたものがある（特許文献１参照）。そして、ここでは、カウント数が所定の数以下の場合、所定の時間に次の電気信号が発生しないと、カウント数をリセットするようにしている。
【０００６】
さらに、表示部に列状に表示した複数の選択項目の一つをダイヤルの回転操作により指定する電子機器が知られている。この電子機器では、連続して行われた回転操作によって選択項目の指定が一端側に到達した場合にはそれ以上の選択項目の変更を行わないようにしたものがある（特許文献２参照）。そして、再度操作が行われた場合には、選択項目の指定を他端側に移動させるようにして、ダイヤル操作の行き過ぎを防止している。
【先行技術文献】
【特許文献】
【０００７】
【特許文献１】特開平６−２９０６７６
【特許文献２】特開２００８−７１１６５
【発明の概要】
【発明が解決しようとする課題】
【０００８】
しかしながら、特許文献１に記載のように、回転操作部材の敏感度を下げるために１つの処理動作に必要な操作部材の回転量を増やす場合には、回転量の比率を増やす程回転不足による誤操作が生じる可能性が増加してしまう。
【０００９】
また、特許文献２に記載の電子機器においては、特定の項目を選択する際に操作部材を回転し過ぎることによる誤操作を防止できるものの、任意の選択項目を選択する際の誤操作を防止することは困難である。
【００１０】
そこで、本発明の目的は、誤操作なくダイヤル操作部材による設定値の変更操作を行うことのできる電子機器、その制御方法、およびプログラム、並びに記憶媒体を提供することにある。
【課題を解決するための手段】
【００１１】
上記の目的を達成するため、本発明による電子機器は、回転操作部材と、第１の操作モードと第２の操作モードとを含む複数の操作モードのいずれかに設定する設定手段と、前記第１の操作モードに設定されている場合には、前記回転操作部材の１回の連続した操作に応じて発生する回転信号の発生回数に応じた処理を行い、前記第２の操作モードに設定されている場合には、前記回転操作部材の１回の連続した操作に応じて発生する回転信号の発生回数に拘わらず１回の回転信号に応じた処理を行うように制御する制御手段と、を有することを特徴とする。
【発明の効果】
【００１２】
本発明によれば、誤操作なく回転操作部材による設定値の変更操作を行うことができる。
【図面の簡単な説明】
【００１３】
【図１】本発明の実施の形態による電子機器の一例についてその外観を示す斜視図である。
【図２】図１に示すカメラのハードウェア構成の一例をブロック図である。
【図３】図２に示すカメラにおいて背面表示部に表示される選択候補画面の一例を説明するための図である。
【図４】図１に示すカメラで用いられるダイヤル式操作部材の構成の一例を説明するための図である。
【図５】図４に示すダイヤルを静止状態から１クリック回転させるまでの導体露出部に対する接片ブラシの位置関係を説明するための図である。
【図６】図５に示すＰＯＳＩＴＩＯＮ１乃至ＰＯＳＩＴＩＯＮ６の信号の変化を説明するための図である。
【図７】図４に示すダイヤルを複数回ＦＷＤ方向に回転した際に生じる電位変化を説明するための図である。
【図８】図２に示すカメラで行われる第２の操作モードに係る制御を説明するためのフローチャートである。
【発明を実施するための形態】
【００１４】
以下に、本発明の実施の形態による電子機器について図面を参照して説明する。
【００１５】
図１は、本発明の実施の形態による電子機器の一例についてその外観を示す斜視図である。そして、図１（ａ）は正面側から見た斜視図であり、図１（ｂ）は背面側から見た斜視図である。
【００１６】
図示の電子機器は、デジタルカメラなどの撮像装置（以下カメラと呼ぶ）であり、当該撮像装置は撮像光学系（レンズユニット）を外した状態で示されている。
【００１７】
カメラ１０１は正面側に撮像素子および光学部品を備える撮像ユニット１０２が配置され、背面側には背面表示部１０５が配置されている。そして、撮像ユニット１０２で得られた画像が背面表示部１０５に表示される。さらに、背面表示部１０５にはカメラ１０１の設定に関する情報が背面表示部１０５に表示される。
【００１８】
カメラ１０１の上面（天面）には、操作部材であるダイヤル式操作部材（回転操作部材）１０３および撮影指示釦１０４が配置され、背面には押し釦式の操作部材群１０６が配置されている。
【００１９】
図２は、図１に示すカメラのハードウェア構成の一例をブロック図である。なお、図２において、図１に示す構成要素と同一の構成要素については同一の参照番号を付す。
【００２０】
カメラ１０１は、制御部であるＭＰＵ２０１を有しており、ＭＰＵ２０１はカメラ１０１全体の制御を司る。ＭＰＵ２０１は不揮発性メモリ２０４に記録された制御プログラムをシステムメモリ２０５に展開して当該制御プログラムを実行してカメラ１０１を制御する。不揮発性メモリ２０４には制御プログラムの他、撮像ユニット１０２で得られた画像およびカメラ１０１の設定に係る情報が記録される。また、システムメモリ２０５はＭＰＵ２０１のワークエリアとして用いられる。
【００２１】
図示のように、入力操作制御回路２０３には、前述のダイヤル式操作部材（以下ダイヤル操作部材と呼ぶ）１０３、撮影指示釦１０４、および押しボタン式操作部材群（以下単に押しボタン群と呼ぶ）１０６が接続されている。そして、ダイヤル操作部材１０３、撮影指示釦１０４、および押しボタン群１０６の操作は入力操作として入力操作制御回路２０３で受け付けられ、入力操作制御回路２０３は入力操作に応じた指示信号をＭＰＵ２０１に送る。ＭＰＵ２１０は当該指示信号に応じてカメラ１０１を制御する。
【００２２】
画面表示制御回路２０２には背面表示部１０５が接続されている。画面表示制御回路２０２は、ＭＰＵ２０１の制御下で背面表示部１０５に画像などの各種情報を表示する。
【００２３】
例えば、撮像指示釦１０４が操作されると、入力操作制御回路２０３を介してＭＰＵ２０１に撮影指示が送られる。撮影指示に応答して、ＭＰＵ２０１は不揮発性メモリ２０４に記録された設定情報に基づいて撮像ユニット１０２を制御して撮像を行う。撮像ユニット１０２の出力である画像信号はＭＰＵ２０１に送られ、ＭＰＵ２０１は画像信号に対して所定の画像処理を行って画像データを生成する。
【００２４】
ＭＰＵ２０１は画面表示制御回路２０２を制御して、画像データに応じた画像を背面表示部１０５に表示する。さらに、ＭＰＵ２０１は当該画像データを画像ファイルとして不揮発性メモリ２０４に格納する。
【００２５】
押しボタン群１０６又はダイヤル操作部材１０３が操作されると、入力操作制御回路２０３は当該操作に応じた指示信号をＭＰＵ２０１に送る。そして、ＭＰＵ２０１は当該指示信号に基づいて、例えば、不揮発性メモリ２０４に格納された画像ファイルの読み出し又は設定情報の選択を行う。
【００２６】
ユーザーがカメラ１０１で設定可能な項目の設定値を所望の値に変更する際には、押しボタン群１０６において変更を希望する設定項目に対応するボタンを押し下げる。これによって、ＭＰＵ２０１は設定値の変更モードを開始する。設定値の変更モードを開始すると、ＭＰＵ２０１は不揮発性メモリ２０４から設定項目に係る情報を読み出して背面表示部１０５に、後述するように、変更中の設定値の選択候補が配列された画面（選択候補画面）を表示する。
【００２７】
図３は、図２に示すカメラにおいて背面表示部に表示される選択候補画面の一例を説明するための図である。そして、図３（ａ）は設定項目の一つであるＩＳＯ値の選択候補画面を示す図であり、図３（ｂ）は露出補正値の選択候補画面を示す図である。
【００２８】
選択候補画面には、変更中の設定項目を示す設定項目アイコン３０１が表示される。さらに、設定可能な数値の候補である設定値候補３０２が配列された設定値候補列３０３が表示される。そして、設定値候補列３０３において現在選択中の設定値候補３０２を明示する選択枠又は選択矢印３０４が表示される。
【００２９】
設定値変更モードにおいては、ユーザー操作によってダイヤル操作部材１０３を右回転又は左回転操作すると、ＭＰＵ２０１は当該操作に連動して選択枠３０４を１ステップ分ずつ設定値候補列３０３上で移動させる。さらに、ユーザーが所望の設定値候補３０２に選択枠３０４を合わせた状態で、押しボタン群１０６の決定ボタンを押下すると、ＭＰＵ２０１は選択枠３０４が位置する設定値候補３０２を設定値とする変更処理を行う。
【００３０】
図４は、図１に示すカメラで用いられるダイヤル操作部材の構成の一例を説明するための図である。そして、図４（ａ）は斜視図、図４（ｂ）は正面側から分解して示す斜視図、図４（ｃ）は背面側から分解して示す斜視図である。
【００３１】
ダイヤル４２１はダイヤル操作部材２０においてユーザーが直接回転操作する部材であり、カメラ１０１の外面に形成された開口部から露出している。ダイヤル４２１は第１操作部保持部材４２２と第２操作部保持部材４２３とによって前後を軸支されて回転自在な状態で保持される。また、第１操作部保持部材４２２と第２操作部保持部材４２３およびダイヤル４２１はともに第１ビス４４１によって第３操作部保持部材４２４に固定されてユニット化される。そして、当該ユニットはカメラ１０１の外装部材の内側に第２ビス群４４２によって固定される。
【００３２】
クリック板４２５、クリックボール４２６、およびクリックスプリング４２７はダイヤル４２１の操作にクリック感を持たせるためのクリック機構を構成する。クリック板４２５は外周に山谷のカム形状を形成した円盤状の部品であり、ダイヤル４２１と同期して回転するようにダイヤル４２１に第３ビス４４３によって固定されている。
【００３３】
図示の例では、ダイヤル４２１の１回転操作を１２クリック分とし、クリック板４２５のカム形状に１２つの谷が設けられている。クリックボール４２６は球体であり、クリックスプリング４２７は圧縮バネである。そして、クリックボール４２６およびクリックスプリング４２７は第２操作部保持部材４２３に備えられたバネ保持部４２３１に収納される。
【００３４】
ユニット状態においては、クリックボール４２６はクリックスプリング４２７によってクリック板４２５に付勢される。この付勢力によって、クリックボール４２６がクリック板４２５のカム形状の谷位置にある場合に、ダイヤル４２１は安定的に保持され、不用意な回転が防止される。また、ダイヤル４２１の回転操作の際には、クリックスプリング４２７の圧縮量が増減してダイヤル４２１にクリック感を与える。
【００３５】
接片ブラシ４２８は３組の片持ち梁式の接触部４２８１を有する導電性部材であり、クリック板４２５とともにダイヤル４２１に同期して回転するようにダイヤル４２１に第３ビス４４３によって固定されている。また、フレキシブルプリント配線板（以下ＦＰＣと呼ぶ）４２９は第３操作部保持部材４２４に保持され、カメラ１０１の内部に電気的に接続されている。
【００３６】
ＦＰＣ４２９は、ダイヤル４２１の回転軸中心から放射状に配置され、基準電位信号線ＧＮＤ、第１の信号線１、および第２の信号線２を有する導体露出部４２９１を備える。以下基準電位信号線ＧＮＤ、第１の信号線１、および第２の信号線２をそれぞれ基準電位信号ＧＮＤ、第１の信号１、および第２の信号２と呼ぶ。接触部４２８１が導体露出部４２９１上を摺動することによって第１の信号１および第２の信号２の電位変化して、ダイヤル操作部材１０３の操作が検出される。
【００３７】
図５は、図４に示すダイヤルを静止状態から１クリック回転させるまでの導体露出部に対する接片ブラシの位置関係を説明するための図である。なお、図示の例では、接片ブラシ４２８の３組の接触部４２８１をそれぞれ接触部４２８１Ａ、接触部４２８１Ｂ、および接触部４２８１Ｃとした。
【００３８】
位置（ＰＯＳＩＴＩＯＮ）１は、ダイヤル４２１が操作されていない静止状態の一例を示す。ユーザーがダイヤル４２１をＦＷＤ方向（正方向）に１クリック回転させた場合、次の静止位置はＰＯＳＩＴＩＯＮ６となる。
【００３９】
ＰＯＳＩＴＩＯＮ２、ＰＯＳＩＴＩＯＮ３、ＰＯＳＩＴＩＯＮ４、およびＰＯＳＩＴＩＯＮ５はＰＯＳＩＴＩＯＮ１からＰＯＳＩＴＩＯＮ６に移動する過程を示す図である。一方、ダイヤル４２１をＲＥＶ方向（逆方向）に１クリック回転させたる場合には、ＰＯＳＩＴＩＯＮ６からＰＯＳＩＴＩＯＮ５、ＰＯＳＩＴＩＯＮ４、ＰＯＳＩＴＩＯＮ３、ＰＯＳＩＴＩＯＮ２、およびＰＯＳＩＴＩＯＮ１の順に移動する。
【００４０】
接片ブラシ４２８がＰＯＳＩＴＩＯＮ１からＰＯＳＩＴＩＯＮ６に至るまで、基準電位信号ＧＮＤは常に接触部４２８１Ａ、４２８１Ｂ、および４２８１Ｃの少なくとも１つと接触している。第１の信号１および第２の信号２はＰＯＳＩＴＩＯＮ１からＰＯＳＩＴＩＯＮ６までの各状態に応じて、接触部４２８１Ａ、４２８１Ｂ、および４２８１Ｃの接触の有無が変化する。
【００４１】
ＰＯＳＩＴＩＯＮ１においては、接触部４２８１Ａ、４２８１Ｂ、および４２８１Ｃのうち少なくとも１つは基準電位信号ＧＮＤと接触しており、他の２つは第１の信号１および第２の信号２に接触していない状態である。
【００４２】
ＰＯＳＩＴＩＯＮ２においては、接触部４２８１Ａは第１の信号１と接触を開始し、接触部４２８１Ｂは第２の信号２とは接触しておらず、接触部４２８１Ｃは基準電位信号ＧＮＤとの接触を維持している。接触部４２８１Ａが第１の信号１と接触を開始したことによって、第１の信号１および基準電位信号ＧＮＤの各々の導体露出部４２９１が接片ブラシ４２８を介して電気的に接続される。これによって、第１の信号１は基準電位まで電位が変化する。
【００４３】
さらに、ＰＯＳＩＴＩＯＮ３においては、接触部４２８１Ａは第１の信号１との接触を維持し、接触部４２８１Ｂは第２の信号２と接触を開始し、接触部４２８１Ｃは基準電位信号ＧＮＤとの接触を維持している。接触部４２８１Ｂが第２の信号２と接触を開始したことによって、第２の信号２および基準電位信号ＧＮＤの各々の導体露出部４２９１が接片ブラシ４２８を介して電気的に接続される。これによって、第２の信号２は基準電位まで電位が変化する。
【００４４】
ＰＯＳＩＴＩＯＮ４においては、接触部４２８１Ａは第１の信号１との接触を終了し、接触部４２８１Ｂは第２の信号２との接触を維持し、接触部４２８１Ｃは基準電位信号ＧＮＤと接触を維持している。接触部４２８１Ａが第１の信号１との接触を終了したことによって、第１の信号１および基準電位信号ＧＮＤの各々の導体露出部４２９１が接片ブラシ４２８を介して電気的に接続された状態が解消される。これによって、第１の信号１は再びＰＯＳＩＴＩＯＮ１の初期電位に戻る。
【００４５】
ＰＯＳＩＴＩＯＮ５においては、接触部４２８１Ａは第１の信号１および基準電位信号ＧＮＤと接触し、接触部４２８１Ｂは第２の信号２と接触を終了し、接触部４２８１Ｃは基準電位信号ＧＮＤと接触を維持している。接触部４２８１Ｂが第２の信号２と接触を終了したことによって、第２の信号２および基準電位信号ＧＮＤの各々の導体露出部４２９１が接片ブラシ４２８を介して電気的に接続された状態が解消される。これによって、第２の信号２は再びＰＯＳＩＴＩＯＮ１の初期電位に戻る。
【００４６】
ＰＯＳＩＴＩＯＮ６においては、接触部４２８１Ａ、接触部４２８１Ｂ、および接触部４２８１Ｃの少なくとも１つは基準電位信号ＧＮＤと接触しており、他の接触部の２つは第１の信号１および第２の信号２に接触していない。この状態はＰＯＳＩＴＩＯＮ１と同一の状態である。
【００４７】
上記の接片ブラシ４２８の１クリック分の回転と信号の変遷の関係は、ＰＯＳＩＴＩＯＮ１におけるダイヤル４２１の停止状態がダイヤル４２１の１２クリック分のいずれの位相においても成り立つ。
【００４８】
図６は、図５に示すＰＯＳＩＴＩＯＮ１乃至ＰＯＳＩＴＩＯＮ６の信号の変化を説明するための図である。
【００４９】
ＰＯＳＩＴＩＯＮ２において、第１の信号１が基準電位に変化した後、ＰＯＳＩＴＩＯＮ３において第２の信号２が基準電位に変化したことを検出する。そして、ＰＯＳＩＴＩＯＮ４において第１の信号１が基準電位から初期電位に戻った後、ＰＯＳＩＴＩＯＮ５において第２の信号２が基準電位から初期電位に戻ったことを検出する。これら２つの検出によって、ユーザーによってダイヤル１０３がＦＷＤ方向に回転させられたことを検出することができる。
【００５０】
つまり、第１の信号１および第２の信号２の基準電位への変化の順を検出し、さらに第１の信号１および第２の信号２の初期電位への戻りの順を検出すれば、ＦＷＤ又はＲＥＶのいずれの方向にダイヤル４２１が回転したかを検出することができる。
【００５１】
カメラ１０１の通常の操作モード（第１の操作モード）においては、ダイヤル４２１の１クリック分の操作で生じる一連の電位変化によって、図３に示す選択枠３０４の１ポジション分の移動が行われる。ダイヤル４２１のＦＷＤ方向への回転で生じるＰＯＳＩＴＩＯＮ１からＰＯＳＩＴＩＯＮ６の電位変化によって選択枠３０４が右方向に移動する。また、ダイヤル４２１のＲＥＶ方向への回転で生じるＰＯＳＩＴＩＯＮ６からＰＯＳＩＴＩＯＮ１の電位変化によって選択枠３０４が左方向に移動する。
【００５２】
さらに、図示のカメラ１０１においては、ユーザーが１クリック毎の細かな操作をできない状況を想定した第２の操作モードが備えられている。この第２の操作モードでは、ユーザーがダイヤル４２１を所定の方向に回転操作を行った場合、この操作が一連の連続した回転操作であれば、クリック数に拘わらず選択枠３０４を１ポジション分のみ移動させる。
【００５３】
上述の説明から明らかなように、第１の信号１および第２の信号２のレベルの変化が第１の回転信号、第２の回転信号、および第３の回転信号のいずれかを示すことになる。
【００５４】
第２の操作モードの適用についてはユーザーが直接選択するようにしてもよく、例えば、手袋の装着によって細かな操作ができないことを想定し、水中撮影モード又は雪中撮影モードが用意されている場合にはこれに連動させて適用してもよい。さらには、高齢者向けなどの簡易操作モード又はバリアフリーモード（バリアフリーを目的とする操作モード）が用意されている場合には、これに連動させて第２の操作モードを適用してもよい。
【００５５】
加えて、第２の操作モードが適用されていない状況下で、所定の方向に連続クリック操作が行われた直後に反対にクリック操作が１クリック分あった場合には、ユーザーがダイヤルの回し過ぎを行ったと考えられる。このような操作を、ＭＰＵ２０１が検知した場合には、第２の操作モードの適用を促す旨を背面表示部１０に表示するようにしてもよい。
【００５６】
これらの制御によって、ユーザーは煩雑な設定操作をすることなく第２の操作モードによる後述する効果を得ることができる。
【００５７】
第１の操作モードでは、ＭＰＵ２０１はダイヤル操作部材１０３の回転に応じて発生した信号の量に応じた処理を行う。例えば、第１の操作モードでは、図７に示すように第１の信号１および第２の信号２が検出されると、Ｃ１の期間において４ポジション、Ｃ２の期間において３ポジションの計７ポジションで設定値を変更する。
【００５８】
このように、第１の操作モードに設定されている場合には、ＭＰＵ２０１はダイヤル操作部材１０３の１回の連続した操作に応じて発生する回転信号の発生回数に応じた処理を行う。また、第２の操作モードに設定されている場合には、ＭＰＵ２０１はダイヤル操作部材１０３の１回の連続した操作に応じて発生する回転信号の発生回数に拘わらず１回の回転信号に応じた処理を行う。さらには、ＭＰＵ２０１は第２の操作モードに設定されている場合には、ダイヤル操作部材１０３の１回の操作に応じて当該操作の回転量に拘わらず一定分の処理を行うようにしてもよい。
【００５９】
また、第１の操作モードはオート撮影モード、マニュアル撮影モード、プログラム撮影モード、絞り優先撮影モード、およびシャッター速度優先撮影モードのうち少なくとも１つである。また、第２の操作モードは、水中撮影モード、スノーモード、および工事現場モードの少なくとも１つである。
【００６０】
ここで、第２の操作モードで扱われる連続した一連のダイヤル操作を次のように定める。連続した一連のダイヤル操作は、連続した複数回のクリック操作において１つのクリック操作による電位変化が終了した時点から次のクリック操作による電位変化の開始の時間間隔によって規定される。そして、当該時間間隔が予め定められた閾値ｔ（ｔｈ）以下の場合の操作を、連続した一連のダイヤル操作とする。
【００６１】
図７は、図４に示すダイヤルを複数回ＦＷＤ方向に回転した際に生じる電位変化を説明するための図である。
【００６２】
図示の例では、ｉ（ｉは１以上の整数）番目のクリックで生じる一連の電位変化をまとめてＣ（ｉ）とし、Ｃ（ｉ）の電位変化の終了タイミングから（ｉ＋１）番目のクリックで生じるＣ（ｉ＋１）の電位変化の開始タイミングの時間間隔をｔ（ｉ）とする。
【００６３】
一般に、ユーザーがＦＷＤ方向に連続でダイヤル４２１を回転させる場合には、ダイヤル４２１の露出部分の左側に指を当てて、指が右側まで来るまで回転させた後に指を離す。そして、再びダイヤル４２１の左側に指を戻して、指が右側まで来るまで回転させることを繰り返す。
【００６４】
図７においては、１回目の回転操作に含まれるクリックは電位変化Ｃ１〜Ｃ４であり、２回目の回転操作に含まれるクリックが電位変化Ｃ５〜Ｃ７である。電位変化Ｃ４と電位変化Ｃ５との間の時間間隔ｔ４はユーザーが一旦ダイヤル４２１から指を離すので時間間隔ｔ１〜ｔ３より長くなる。
【００６５】
カメラ１０１においては、指を離すことなくダイヤル４２１を連続回転させる場合に生じるクリック間隔ｔ（ｉ）と一旦指を離してポジションを移動させた場合に生じるクリック間隔ｔ（ｉ）との間となるように、閾値ｔ（ｔｈ）が定められる。このため、図７に示す操作においては、時間間隔４＞閾値ｔ（ｔｈ）となって、ＭＰＵ２０１は、電位変化Ｃ１から開始された一連の連続した回転操作Ｇ１がＣ４で終了したとする。そして、ＭＭＰＵ２０１は電位変化Ｃ５からは回転操作Ｇ１とは別の一連の連続した回転操作Ｇ２として扱う。
【００６６】
ＭＰＵ２０１は一連の連続した回転操作Ｇ（ｊ：ｊは１以上の整数）の先頭に位置する電位変化Ｃ（ｉ）の操作が行われた際に１ポジション分選択枠３０４を移動させる制御を行う。そして、ＭＰＵ２０１は電位変化Ｃ（ｉ＋１）以降の操作が電位変化Ｃ（ｉ）と同一の回転操作Ｇ（ｊ）に含まれる操作であれば選択枠３０４を移動しない。つまり、図７に示す操作では、電位変化Ｃ１およびＣ５に係る操作が行われた場合にのみ、ＭＰＵ２０１は選択枠３０４を１ポジション分移動させる。
【００６７】
図８は、図２に示すカメラで行われる第２の操作モードに係る制御を説明するためのフローチャートである。なお、図示のフローチャートに係る処理は、ＭＰＵ２０１が不揮発性メモリ２０４に格納された制御プログラムをワークメモリ２０５に展開して実行することによって行われる。
【００６８】
設定値変更モードを開始すると、Ｓ８０１では、ＭＰＵ２０１はダイヤル操作部材１０３の操作に応じてＦＷＤ又はＲＥＶの電位変化Ｃ（ｉ）が生じたか否かを判定する。電位変化Ｃ（ｉ）が小生じた場合はＳＳ８０２に進み、そうでない場合はＳＳ８０６に進む。
【００６９】
Ｓ８０２では、ＭＰＵ２０１は第２の操作モードの適用下であるか否かを判定する。第２の操作モードの適用下である場合はＳ８０３に進み、そうでない場合はＳ８０６に進む。
【００７０】
Ｓ８０３では、ＭＰＵ２０１は電位変化Ｃ（ｉ）以前に電位変化Ｃ（ｉ−１）が存在したか否かを判定する。電位変化Ｃ（ｉ−１）が存在した場合はＳ８０４に進み、そうでない場合は新規のダイヤル操作の開始であるのでＳ８０６に進む。
【００７１】
Ｓ８０４では、ＭＰＵ２０１は時間間隔ｔ（ｉ−１）と時間間隔ｔ（ｔｈ）とを比較して、ｔ（ｉ−１）＞ｔ（ｔｈ）であるか否かを判定する。ｔ（ｉ−１）＞ｔ（ｔｈ）である場合は、連続した操作ではないのでＳ８０６に進み、そうでない場合はＳ８０５に進む。
【００７２】
Ｓ８０５では、ＭＰＵ２０１は電位変化Ｃ（ｉ）と電位変化Ｃ（ｉ−１）におけるダイヤルの回転方向を比較する。電位変化Ｃ（ｉ）と電位変化Ｃ（ｉ−１）におけるダイヤルの回転方向が同一である場合は、継続して行われた回転操作であるので、Ｓ８０１に戻る。そうでない場合はＳ８０６に進む。
【００７３】
Ｓ８０６では、ＭＰＵ２０１は新規の回転操作Ｇ（ｊ）が開始されたとして、電位変化Ｃ（ｉ）に係るＦＷＤ又はＲＥＶに則した方向に選択枠３０４を１ポジション分移動させる。
【００７４】
Ｓ８０７では、ＭＰＵ２０１は設定値を決定するための決定操作が行われたか否かを判定する。決定操作が行われた場合はＳ８０８に進み、そうでない場合はＳ８０１に戻る。
【００７５】
Ｓ８０８では、ＭＰＵ２０１は設定値を選択枠３０４で選択された設定値に変更する。そして、ＭＰＵ２０１はカメラ１０１を待機状態として設定値変更モードを終了する。
【００７６】
このようにして、第２の操作モードにおいては、ユーザーはダイヤル４２１の回転量を制御し難い状況であっても、選択枠３０４が所望する選択候補値３０２を行き過ぎることなく設定操作を容易に行うことができる。例えば、ユーザーが設定値候補列３０３において選択枠３０４を右に３つ分動かしたい場合には、ダイヤル４２１を１回の回転操作に含まれるクリック数を気にすることなくＦＷＤ方向に３回回転させればよい。
【００７７】
上述の例では、時間間隔が予め定められた閾値ｔ（ｔｈ）以下の場合の操作を、連続した一連のダイヤル操作としたが、連続した一連のダイヤル操作を次のように定めてもよい。
【００７８】
連続した一連のダイヤル操作において、ダイヤル４２１を所定の方向に連続して複数回クリック操作で、図７で示す電位変化Ｃ（ｉ）の一連の電位変化が成立するまでの時間をＣｔ（ｉ）とする。一度の指の動きによって複数回ダイヤル４２１を回転させている間は回転速度がほぼ一定になる。よって、電位変化Ｃｔ（ｉ）と電位変化ｔ（ｉ−１）の比率であるｔ（ｉ−１）／Ｃｔ（ｉ）は、ＦＰＣ４２９上の導体露出部２９１の信号パターンの角度比に応じた一定値Ｎに近くなる。
【００７９】
一方、電位変化Ｃ（ｉ−１）が発生した後、一旦回転を止めて再びダイヤル４２１を回転させて電位変化Ｃ（ｉ）を発生させると、ｔ（ｉ−１）／Ｃｔ（ｉ）は連続回転の際の値Ｎより大きくなる。そこで、一定値Ｎに所定の時間的余裕αを加算したＮ＋αを閾値とする。そして、同一の方向における複数回の回転操作に含まれる電位変化Ｃ（ｉ）においてｔ（ｉ−１）／Ｃｔ（ｉ）＞Ｎ＋αとなれば、電位変化Ｃ（ｉ）によって新規の回転操作Ｇ（ｊ）が開始されたとする。また、ｔ（ｉ−１）／Ｃｔ（ｉ）＞Ｎ＋αでなければ、つまり、ｔ（ｉ−１）／Ｃｔ（ｉ）≦Ｎ＋αであれば、電位変化Ｃ（ｉ）は電位変化Ｃ（ｉ−１）から連続して行われた回転操作とする。
【００８０】
上述場合には、図７に示すフローチャートにおいて、Ｓ８０４ではＭＰＵ２０１はｔ（ｉ−１）／Ｃｔ（ｉ）＞Ｎ＋αであるか否かを判定するようにすればよい。そして、ｔ（ｉ−１）／Ｃｔ（ｉ）＞Ｎ＋αである場合はＳ８０６に進み、そうでない場合はＳ８０５に進む。
【００８１】
この例においても、ユーザーはダイヤル４２１の回転量を制御し難い状況であっても、選択枠３０４が所望する位置を行き過ぎてしまうことなく設定操作を容易に行うことができる。さらに、ユーザーのダイヤル操作における指の動きが速く、ダイヤル４２１から指を離している間に生じる時間間隔ｔ（ｉ）が前述の閾値ｔ（ｔｈ）を下回る状態であっても設定操作を容易に行うことができる。
【００８２】
なお、上述の実施の形態では、さらに誤操作を防止するため、第２の操作モード適用下において、１クリック分の信号が発生した後、所定の期間内（所定の時間以内）に次の信号が発生しなければ、カメラ１０１の設定を変更しないようにしてもよい。これによって、ユーザーが意図した操作でダイヤル４２１が１クリック分回転した場合にこれを無視することができる。
【００８３】
加えて、第２の操作モード適用下において回転操作Ｇ（ｊ）に含まれる電位変化Ｃ（ｉ）の数が予め定められた閾値を超えた場合には、選択枠３０４を２ポジション以上移動させるようにしてもよい。これによって、ユーザーが選択枠３０４のポジションを大きく移動させたい場合に、ダイヤル４２１の回転数を減らすことができる。
【００８４】
なお、ＭＰＵ２０１が行うものとして説明した上述の各種制御は、１つのハードウェアが行ってもよいし、複数のハードウェアが処理を分担することで、装置全体の制御を行ってもよい。
【００８５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８６】
また、上述した実施形態においては、本発明をカメラに適用した場合を例にして説明したが、これはこの例に限定されず回転操作によって設定値などを変更する装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置などに適用可能である。
【００８７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８８】
１０２  撮像ユニット
１０３  ダイヤル式操作部材
１０４  撮影指示釦
１０５  背面表示部
１０６  押しボタン式操作部材群
２０１  ＭＰＵ
２０２  画面表示制御回路
２０３  入力操作制御回路
２０４  不揮発性メモリ
２０５  システムメモリ
【図１】
2019053671.tif 000003
【図２】
2019053671.tif 000004
【図３】
2019053671.tif 000005
【図４】
2019053671.tif 000006
【図５】
2019053671.tif 000007
【図６】
2019053671.tif 000008
【図７】
2019053671.tif 000009
【図８】
2019053671.tif 000010